【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
シート状に形成された外装部材と、
延在方向に沿った少なくとも一部の領域で前記外装部材に重なるように配設された電線と、
を備え、
前記電線の絶縁被覆と前記外装部材とが重なる部分の少なくとも一部が溶着されており、
前記外装部材は、前記電線の配索対象となる部材の周りにその表面に沿って曲げられている領域を有する、ワイヤーハーネス。
【請求項２】
請求項１に記載のワイヤーハーネスであって、
前記電線の絶縁被覆と前記外装部材とが重なる部分の少なくとも一部が超音波溶着されている、ワイヤーハーネス。
【請求項３】
請求項１又は請求項２に記載のワイヤーハーネスであって、
前記外装部材のうち前記電線の延在方向に沿った一部の領域が、前記電線の配索対象となる部材の周りにその表面に沿って曲げられている領域であり、前記外装部材のうち前記電線の延在方向に沿った他の少なくとも一部の領域はフラットな状態とされている、ワイヤーハーネス。
【請求項４】
請求項３に記載のワイヤーハーネスであって、
前記外装部材のうちフラットな状態とされた領域から前記電線の配索対象となる部材の周りにその表面に沿って曲げられている領域に向けて前記外装部材が徐々に丸められている、ワイヤーハーネス。
【請求項５】
請求項３に記載のワイヤーハーネスであって、
前記外装部材のうちフラットな状態とされた領域と前記電線の配索対象となる部材の周りにその表面に沿って曲げられている領域との境界に前記外装部材の内部から外縁に達するスリットが形成されている、ワイヤーハーネス。
【請求項６】
請求項１から請求項５のいずれか１項に記載のワイヤーハーネスであって、
前記外装部材が前記電線の配索対象となる部材の周りにその表面に沿って曲げられている領域において、前記外装部材が前記電線より外側に位置する、ワイヤーハーネス。
【請求項７】
請求項１から請求項６のいずれか１つに記載のワイヤーハーネスであって、
前記電線の絶縁被覆と前記外装部材とが、前記電線の長手方向に沿って断続的に溶着されている、ワイヤーハーネス。
【請求項８】
請求項１から請求項７のいずれか１項に記載のワイヤーハーネスであって、
前記電線を取付対象に固定するための固定部材が前記外装部材に溶着されている、ワイヤーハーネス。
【請求項９】
請求項８に記載のワイヤーハーネスであって、
前記外装部材が前記電線の配索対象となる部材の周りにその表面に沿って曲げられている領域に設けられた前記固定部材によって前記外装部材が前記電線の配索対象となる部材の周りにその表面に沿って曲げられている状態に維持されている、ワイヤーハーネス。
【請求項１０】
請求項１から請求項９のいずれか１項に記載のワイヤーハーネスであって、
前記外装部材が前記電線の配索対象となる部材の周りにその表面に沿って曲げられている領域には前記外装部材が少なくとも二重になっている部分が存在する、ワイヤーハーネス。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
そこで、本発明は、外装部材に、電線の配索対象となる部材の周りにその表面に沿って曲げられている領域を設ける技術を提供することを目的とする。
【手続補正４】
【補正対象書類名】明細書
【補正対象項目名】０００６
【補正方法】変更
【補正の内容】
【０００６】
上記課題を解決するため、第１の態様に係るワイヤーハーネスは、シート状に形成された外装部材と、延在方向に沿った少なくとも一部の領域で前記外装部材に重なるように配設された電線と、を備え、前記電線の絶縁被覆と前記外装部材とが重なる部分の少なくとも一部が溶着されており、前記外装部材は、前記電線の配索対象となる部材の周りにその表面に沿って曲げられている領域を有する。
【手続補正５】
【補正対象書類名】明細書
【補正対象項目名】０００８
【補正方法】変更
【補正の内容】
【０００８】
第３の態様に係るワイヤーハーネスは、第１又は第２の態様に係るワイヤーハーネスであって、前記外装部材のうち前記電線の延在方向に沿った一部の領域が、前記電線の配索対象となる部材の周りにその表面に沿って曲げられている領域であり、前記外装部材のうち前記電線の延在方向に沿った他の少なくとも一部の領域はフラットな状態とされている。
第４の態様に係るワイヤーハーネスは、第３の態様に係るワイヤーハーネスであって、前記外装部材のうちフラットな状態とされた領域から前記電線の配索対象となる部材の周りにその表面に沿って曲げられている領域に向けて前記外装部材が徐々に丸められている。
【手続補正６】
【補正対象書類名】明細書
【補正対象項目名】０００９
【補正方法】変更
【補正の内容】
【０００９】
第５の態様に係るワイヤーハーネスは、第３の態様に係るワイヤーハーネスであって、前記外装部材のうちフラットな状態とされた領域と前記電線の配索対象となる部材の周りにその表面に沿って曲げられている領域との境界に前記外装部材の内部から外縁に達するスリットが形成されている。
【手続補正７】
【補正対象書類名】明細書
【補正対象項目名】００１０
【補正方法】変更
【補正の内容】
【００１０】
第６の態様に係るワイヤーハーネスは、第１から第５のいずれか１つの態様に係るワイヤーハーネスであって、前記外装部材が前記電線の配索対象となる部材の周りにその表面に沿って曲げられている領域において、前記外装部材が前記電線より外側に位置する。
第７の態様に係るワイヤーハーネスは、第１から第６のいずれか１つの態様に係るワイヤーハーネスであって、前記電線の絶縁被覆と前記外装部材とが、前記電線の長手方向に沿って断続的に溶着されている。
第８の態様に係るワイヤーハーネスは、第１から第７のいずれか１つの態様に係るワイヤーハーネスであって、前記電線を取付対象に固定するための固定部材が前記外装部材に溶着されている。
【手続補正８】
【補正対象書類名】明細書
【補正対象項目名】００１１
【補正方法】変更
【補正の内容】
【００１１】
第９の態様に係るワイヤーハーネスは、第８の態様に係るワイヤーハーネスであって、前記外装部材が前記電線の配索対象となる部材の周りにその表面に沿って曲げられている領域に設けられた前記固定部材によって前記外装部材が前記電線の配索対象となる部材の周りにその表面に沿って曲げられている状態に維持されている。
【手続補正９】
【補正対象書類名】明細書
【補正対象項目名】００１２
【補正方法】変更
【補正の内容】
【００１２】
第１０の態様に係るワイヤーハーネスは、第１から第９のいずれか１つの態様に係るワイヤーハーネスであって、前記外装部材が前記電線の配索対象となる部材の周りにその表面に沿って曲げられている領域には前記外装部材が少なくとも二重になっている部分が存在する。
【手続補正１０】
【補正対象書類名】明細書
【補正対象項目名】００１３
【補正方法】変更
【補正の内容】
【００１３】
各態様によると、外装部材に、電線の配索対象となる部材の周りにその表面に沿って曲げられている領域を設けることができる。
【手続補正１１】
【補正対象書類名】明細書
【補正対象項目名】００１５
【補正方法】変更
【補正の内容】
【００１５】
特に、第４の態様によると、スリットなしで電線の配索対象となる部材の周りにその表面に沿って曲げられている領域を設けることができる。
【手続補正１２】
【補正対象書類名】明細書
【補正対象項目名】００１６
【補正方法】変更
【補正の内容】
【００１６】
特に、第５の態様によると、電線の配索対象となる部材の周りにその表面に沿って曲げられている領域をより容易に小さく丸めることができる。
【手続補正１３】
【補正対象書類名】明細書
【補正対象項目名】００１７
【補正方法】変更
【補正の内容】
【００１７】
特に、第８の態様によると、固定部材を簡易に取付けることができる。
【手続補正１４】
【補正対象書類名】明細書
【補正対象項目名】００１８
【補正方法】変更
【補正の内容】
【００１８】
特に、第９の態様によると、外装部材を電線の配索対象となる部材の周りにその表面に沿って曲げられている状態に簡易に維持可能となる。
【手続補正１５】
【補正対象書類名】明細書
【補正対象項目名】００１９
【補正方法】変更
【補正の内容】
【００１９】
特に、第１０の態様によると、外装部材によって電線の配索対象となる部材の全周囲を覆うことが可能となる。